(57)【要約】【課題】ネジにより被固定部に固定される固定具の位置決め及び回り止め防止を確実に行うことができる電子部品の固定構造を提供する。【解決手段】電子部品２Ａを取り付ける放熱板の垂直部１２と、この放熱板との間に電子部品２Ａを挟んで固定する固定具３１と、この固定具３１を放熱板に固定するネジ２１とを備える。固定具３１は放熱板に固定する固定部３３と、電子部品２Ａを押える押さえ部３２とを備え、固定部３３は放熱板に係合する複数の係合部３３Ｂ，３３Ｂを有するから、固定具３１は、回り止めがなされた位置決め状態で放熱板に固定され、発熱部品である電子部品２Ａを安定して放熱板に固定することができ、また、その取付作業性を向上することができる。【選択図】図４
2010087033.tif 000002
【特許請求の範囲】
【請求項１】
電子部品を取り付ける被固定部と、この被固定部との間に前記電子部品を挟んで固定する固定具と、この固定具を前記被固定部に固定する固定手段とを備えた電子部品の固定構造において、前記固定具は前記被固定部に固定する固定部と、前記電子部品を押える押さえ部とを備え、前記固定部は前記被固定部に係合する複数の係合部を有することを特徴とする電子部品の固定構造。
【請求項２】
前記電子部品を回路基板に実装し、前記被固定部が前記回路基板に設けた放熱板であり、前記固定手段が前記放熱板に固定するネジであることを特徴とする請求項１記載の電子部品の固定構造。
【請求項３】
前記複数の係合部の少なくも１つが、前記被固定部に設けた係合溝に係合することを特徴とする請求項１又は２記載の電子部品の固定構造。
【請求項４】
前記複数の係合部の少なくも１つが、前記放熱板の縁部に係合することを特徴とする請求項３記載の電子部品の固定構造。
【発明の詳細な説明】
【技術分野】
【０００１】
本発明は、電子部品を放熱板などの被固定部に固定する電子部品の固定構造に関する。
【背景技術】
【０００２】
一般に、ユニット電源などの各種電子機器においては、回路基板に各種の電子部品と共に、パワートランジスタや整流ダイオードなどの発熱する発熱部品が実装され、こうした発熱部品の温度上昇を抑制するために、熱伝導性に優れた例えばアルミニウムなどの放熱板を電子部品の背面に熱接続して用いており、ネジにより電子部品を放熱板に固定している（例えば特許文献１）。
【０００３】
また、発熱部品を放熱板等の被固定部に取り付ける際、絶縁のために発熱部品と放熱板との間に絶縁材を入れる場合、固定具が用いられる。この固定具として、圧延鋼板等の鋼板を縦断面略Ｌ字状に折り曲げ、一方の面の略中心部に、この固定具を被固定部に固定するための孔部を設け、その他方の面の端面に、被固定部に設けられた凹部と係合し、ネジ止め式の固定具と被固定部との位置ズレを防止するための凸部を設けたものが知られている（例えば特許文献２）。
【特許文献１】特開２００２−２９００８４号公報
【特許文献２】特開２００１−２８４８５０号公報（図１０）
【発明の開示】
【発明が解決しようとする課題】
【０００４】
上記の固定具では、被固定部の凹部と固定具の凸部との係合して位置決めしているが、一箇所だけの係合では、クリアランスによって固定具が回ってしまって発熱部品の固定が不十分になったり、固定位置がずれたりするという問題点がある。
【０００５】
本発明は上記の各問題点に着目してなされたもので、ネジにより被固定部に固定される固定具の位置決め及び回り止め防止を確実に行うことができる電子部品の固定構造を提供することを、その目的とする。
【課題を解決するための手段】
【０００６】
本発明は、上記目的を達成するために、電子部品を取り付ける被固定部と、この被固定部との間に前記電子部品を挟んで固定する固定具と、この固定具を前記被固定部に固定する固定手段とを備えた電子部品の固定構造において、前記固定具は前記被固定部に固定する固定部と、前記電子部品を押える押さえ部とを備え、前記固定部は前記被固定部に係合する複数の係合部を有する構成としている。
【０００７】
また、本発明は、上記目的を達成するために、前記電子部品を回路基板に実装し、前記被固定部が前記回路基板に設けた放熱板であり、前記固定手段が前記放熱板に固定するネジである。
【０００８】
さらに、本発明は、上記目的を達成するために、前記複数の係合部の少なくも１つが、前記被固定部に設けた係合溝に係合する構成としている。
【０００９】
さらにまた、本発明は、上記目的を達成するために、前記複数の係合部の少なくも１つが、前記放熱板の縁部に係合する構成としている。
【発明の効果】
【００１０】
請求項１の発明によれば、固定部の複数の係合部が被固定部に係合することにより、固定具は回り止めがなされた位置決め状態で被固定部に固定され、発熱部品を安定して被固定部に固定することができ、また、その取付作業性を向上することができる。
【００１１】
請求項２の発明によれば、電子部品を放熱板に安定して固定することができる。
【００１２】
請求項３の発明によれば、固定具の係合部が被固定部に係合して回り止め及び位置決めが確実になされる。
【００１３】
請求項４の発明によれば、固定具の係合部が被固定部に係合して回り止め及び位置決めが確実になされ、放熱板の縁に係合するから、放熱板側の加工が容易となる。
【発明を実施するための最良の形態】
【００１４】
以下、本発明における電子部品の固定構造の好ましい実施形態について、添付図面を参照しながら詳細に説明する。
【実施例１】
【００１５】
図１〜図７は、本実施例で提案する電子機器を示したものである。同図に示すように、１は絶縁層の片面または両面に導電パターンを形成してなる回路基板であって、平面略方形をなす。２，２Ａは前記回路基板１の表面すなわち部品実装面上に設けられる特に発熱量の大きい発熱部品たる電子部品であって、前記電子部品２が後述する放熱板に固定される固定部品である。それら電子部品２，２Ａは、その部品本体３の下端に延設する導電性のリード４を、回路基板１の所定位置に形成したメッキスルーホール（図示せず）に挿通し、そこで半田付け接続して回路基板１に実装される。
【００１６】
１１はアルミニウムなどの導電性に優れた部材で構成される放熱板で、これは回路基板１に略直交する垂直部１２と、この垂直部１２の上端を外側（一側）に屈曲した屈曲縁部１３と、垂直部１２より下方に延設した複数の脚部１４により概ね構成され、これら複数の脚部１４が回路基板１の部品実装面側に固定されている。尚、前記放熱板１１が被固定部である。
【００１７】
また、放熱板１１は、回路基板１の部品実装面側から見て矩形状をなす回路基板１の長手方向両側に沿って、かつ回路基板１の幅方向一側寄りに設けられている。一方、放熱板１１の他側に位置する部品実装面には、複数の電子部品５が実装されている。
【００１８】
複数の前記電子部品２が、ネジ２１により、前記放熱板１１の垂直部１２の外側の一側面１２Ａに密着状態で固定される。この場合、電子部品２の部品本体３には、ネジ２１を挿通する挿通孔２２を穿設し、この挿通孔２２に対応して、前記垂直部１２にタップ孔２３を形成し、放熱板１１の一側から、ネジ２１を挿通孔２２に挿通し、タップ孔２３に螺合することにより、電子部品２を放熱板１１に固定する。尚、前記挿通孔２２を、ネジ２１が螺合するタップ孔としてもよい。
【００１９】
また、前記電子部品２Ａは、固定部品たる固定具３１により、放熱板１１の垂直部１２の一側面１２に固定される。前記固定具３１は、バネ用ステンレス鋼等の鋼鈑からなり、電子部品２Ａの部品本体３を押える押さえ部３２と、放熱板１１に固定する固定部３３とを一体に備え、この固定部３３にはネジ２１を挿通する挿通孔３４を備える。そして、電子部品２Ａの部品本体３に、絶縁材たる筒状の絶縁シート４１を外装し、この絶縁シート４１を外装した部品本体３を、押さえ部３３により段発的に押さえた状態で、挿通孔３４にネジ２１を挿通し、このネジ２１を放熱板１１のタップ孔２３に螺合することにより、電子部品２Ａの部品本体３を放熱板１１に固定している。尚、前記挿通孔２４を、ネジ２１が螺合するタップ孔としてもよい。
【００２０】
固定部３３は、前記挿通孔３４を穿設した平板部３３Ａと、この平板部３３Ａの上下縁を裏面側に屈曲した係合部３３Ｂ，３３Ｂとを備え、固定部３３の左右方向一側に前記押さえ部３２が設けられている。前記押さえ部３２は、前後方向の立ち上り部３２Ａと、この立ち上り部３２Ａの先端から左右方向一側に屈曲した湾曲状の当て部３２Ｂとを備え、当て部３２Ｂの先端が自由端であって、前記当て部３２Ｂの凸状湾曲面が前記電子部品２Ａの部品本体３を段発的に押える。
【００２１】
前記放熱板１１には、前記係合部３３Ｂ，３３Ｂが係合する係合受部が挿通孔３４を挟んだ上下に設けられている。一方の係合受部は、前記垂直部１２に穿設したスリット状の係合溝３５であり、他方の係合部は、垂直部１２の下縁１２Ｆにより構成されている。
【００２２】
そして、上下の係合部３３Ｂ，３３Ｂを、上下の係合溝３５と下縁１２Ｆに係合し、当て部３２Ｂを、電子部品２Ａの部品本体３に絶縁シート４１を介して当て、挿通孔３４に挿通したネジ２１をタップ孔２３に螺合することにより、固定具３１を回り止め状態で、放熱板１１に固定し、放熱板１１と押さえ部３２との間に電子部品２Ａを挟んで、取付固定することができる。
【００２３】
上記のような電子機器においては、固定具３１の固定部３３に複数の係合部３３Ｂ，３３Ｂを設け、これら係合部３３Ｂ，３３Ｂが係合する係合受部たる係合溝３５及び係合縁１２Ｆを放熱板１１に設け、固定部３３を放熱板１１にビス２１により固定し、押さえ部３２と放熱板１１との間に電子部品２Ａの部品本体３を挟んで固定したから、固定具３１は、回り止めがなされた位置決め状態で放熱板１１に固定され、電子部品２Ａを安定して放熱板１１に固定することができ、また、位置決めが簡単になされるため取付作業性を向上することができる。
【００２４】
そして、電子部品２，２Ａの温度上昇に伴ない電子部品２，２Ａが発熱すると、放熱板11の垂直部１２に熱が直接伝導し、垂直部１２及び屈曲縁部１３からその周辺にある空気と熱交換して放熱される。
【００２５】
このように本実施例では、電子部品２Ａを取り付ける被固定部たる放熱板１１と、この放熱板１１との間に電子部品２Ａを挟んで固定する固定具３１と、この固定具３１を放熱板１１に固定する固定手段たるネジ２１とを備えた電子部品の固定構造において、固定具３１は放熱板１１に固定する固定部３３と、電子部品２Ａを押える押さえ部３２とを備え、固定部３３は放熱板１１に係合する複数の係合部３３Ｂ，３３Ｂを有するから、固定部３３の複数の係合部３３Ｂ，３３Ｂが放熱板１１に係合することにより、固定具３１は、回り止めがなされた位置決め状態で放熱板１１に固定され、発熱部品である電子部品２Ａを安定して放熱板１１に固定することができ、また、その取付作業性を向上することができる。
【００２６】
また、このように本実施例では、電子部品２Ａを回路基板１に実装し、被固定部が前記回路基板１に設けた放熱板１１であり、固定手段が放熱板１１に固定するネジ２１であるから、電子部品２Ａを放熱板１１に安定して固定することができる。
【００２７】
また、このように本実施例では、複数の係合部３３Ｂ，３３Ｂの少なくも１つが、被固定部たる放熱板１１に設けた係合溝３５に係合するから、固定具３１の係合部３３Ｂが放熱板１１に係合して回り止め及び位置決めが確実になされる。
【００２８】
また、このように本実施例では、複数の係合部３３Ｂ，３３Ｂの少なくも１つが、放熱板１１の縁部１２Ｆに係合するから、固定具３１の係合部３３Ｂが放熱板１１に係合して回り止め及び位置決めが確実になされ、また、放熱板１１の縁に係合するから、放熱板１１側の加工が容易となる。
【００２９】
また、実施例上の効果として、係合部３３Ｂは、回路基板１側に位置する放熱板１１の下側の縁部１２Ｆに係合するから、係合部３３Ｂが放熱板１１の上縁に突出することがない。また、係合部３３Ｂの長さＬは、ネジ２１のネジ部の直径より長いから、固定具３１を確実に回り止め状態で固定することができる。
【００３０】
なお、本発明は上記実施例に限定されるものではなく、本発明の要旨の範囲において種々の変形実施が可能である。
【図面の簡単な説明】
【００３１】
【図１】本発明の実施例１を示す正面図である。
【図２】同上、側面図である。
【図３】同上、平面図である。
【図４】同上、一部を切り欠いた分解斜視図である。
【図５】同上、一部を切り欠いた斜視図である。
【図６】同上、固定具の斜視図である。
【図７】同上、固定具の平面図である。
【符号の説明】
【００３２】
１  回路基板
２  電子部品（固定部品・発熱部品）
２Ａ  電子部品（発熱部品）
３  部品本体
１１  放熱板（被固定部）
２１  ネジ（固定手段）
３１  固定具（固定部品）
３２  押さえ部
３３  固定部
３３Ｂ  係合部
３４  挿通孔（係合受部）
３５  係合溝（係合受部）
【図４】
2010087033.tif 000003
【図５】
2010087033.tif 000004
【図６】
2010087033.tif 000005
【図７】
2010087033.tif 000006
【図１】
2010087033.tif 000007
【図２】
2010087033.tif 000008
【図３】
2010087033.tif 000009